(57)【要約】【課題】端末にタイムスロットアグリゲーション技術で割り振ったタイムスロット対の持つ特性を十分に利用した速度／フェージングにより強い技法を提供する。【解決手段】複数のアンテナ(ANT1,ANT2)を具え、時分割多元接続／時分割複信方式で相手側無線通信装置との間で無線通信を行う無線通信装置(200)は、上りタイムスロットと下りタイムスロットとからなるタイムスロット対を１フレーム内に複数、前記相手側無線通信装置に割り当てるスロット割当部(150)と、割り当てられた複数のタイムスロット対に含まれる複数の上りタイムスロットのうちの１つの上りタイムスロットについてアンテナで受信した信号に基づいて算出される各アンテナ受信ウェイト（重み係数）を、複数のタイムスロット対に含まれる複数の下りタイムスロットで用いる送信ウェイトに設定するウェイト設定部(170)とを有する。【選択図】図１
2008219625.tif 000002
【特許請求の範囲】
【請求項１】
複数のアンテナを具え、時分割多元接続／時分割複信方式で相手側無線通信装置との間で無線通信を行う無線通信装置における通信方法において、
上りタイムスロットと下りタイムスロットとからなるタイムスロット対を１フレーム内に複数、前記相手側無線通信装置に割り当てるスロット割当ステップと、
前記割り当てられた複数のタイムスロット対に含まれる複数の上りタイムスロットのうちの１つの上りタイムスロットについて前記複数のアンテナで受信した信号に基づいて算出される各アンテナ受信ウェイトを、前記割り当てられた複数のタイムスロット対に含まれる複数の下りタイムスロットで用いる送信ウェイトに設定するウェイト設定ステップと、
を有する通信方法。
【請求項２】
請求項１に記載の通信方法において、
前記スロット割当ステップが、
１つのキャリアに設定された複数のタイムスロットから、上りタイムスロットと下りタイムスロットとからなるタイムスロット対を１フレーム内に複数、前記相手側無線通信装置に割り当てる、
ことを特徴とする通信方法。
【請求項３】
請求項１に記載の通信方法において、
前記複数のタイムスロット対の各々は、異なるキャリアに設定された複数のタイムスロットから割り当てられる、
ことを特徴とする通信方法。
【請求項４】
請求項１〜３のいずれか１項に記載の通信方法において、
前記ウェイト設定ステップが、
前記複数のタイムスロット対に含まれる複数の上りタイムスロットのうち、下りタイムスロットに最も近い上りタイムスロットを、前記複数のアンテナで受信した信号に基づいて算出される各アンテナ受信ウェイトを、前記割り当てられた複数のタイムスロット対に含まれる複数の下りタイムスロットで用いる送信ウェイトに設定する、
ことを特徴とする通信方法。
【請求項５】
請求項１〜４のいずれか１項に記載の通信方法において、
前記ウェイト設定ステップが、
前記複数のタイムスロット対に含まれる複数の上りタイムスロットのうち、受信感度が最も良い上りタイムスロットについて前記複数のアンテナで受信した信号に基づいて算出される各アンテナ受信ウェイトを、前記割り当てられた複数のタイムスロット対に含まれる複数の下りタイムスロットで用いる送信ウェイトに設定する、
ことを特徴とする通信方法。
【請求項６】
請求項１〜４のいずれか１項に記載の通信方法において、
前記相手側無線通信装置との間の伝播路変動を示す値を検出する伝播路変動検出ステップと、
前記検出された伝播路変動を示す値に基づいて、前記伝播路が安定しているか否かを判断する判断ステップと、をさらに含み、
前記判断の結果、前記伝播路が安定していないと判断された場合には、前記ウェイト設定ステップを実行する、
ことを特徴とする通信方法。
【請求項７】
複数のアンテナを具え、時分割多元接続／時分割複信方式で相手側無線通信装置との間で無線通信を行う無線通信装置であって、
上りタイムスロットと下りタイムスロットとからなるタイムスロット対を１フレーム内に複数、前記相手側無線通信装置に割り当てるスロット割当部と、
前記割り当てられた複数のタイムスロット対に含まれる複数の上りタイムスロットのうちの１つの上りタイムスロットを前記複数のアンテナで受信した信号に基づいて算出される各アンテナ受信ウェイトを、前記割り当てられた複数のタイムスロット対に含まれる複数の下りタイムスロットで用いる送信ウェイトに設定するウェイト設定部と、
を有する無線通信装置。
【発明の詳細な説明】
【技術分野】
【０００１】
本発明は、通信方法および無線通信装置に関する。
【背景技術】
【０００２】
TDMA-TDD（時分割多元接続／時分割復信）方式およびアダプティブアレイアンテナを用いた通信システムでは、アップリンクの信号に基づきダウンリンク信号のアンテナウェイト（アンテナアレイを構成する各アンテナ素子の重み付け）を推定する従来技術「スマート・アンテナ・システムを有する基地局を有する無線データ通信システムでのダウンリンク通信」が開発され、実用化されている（特許文献１を参照されたい）。これは、無線端末から基地局へのアップリンク方向に対応するスロットと、基地局から無線端末へのダウンリンク方向に対応するスロットとが、同一周波数を使用することを前提とした技術で、基地局は、アップリンク側のタイムスロットとダウンリンク側のタイムスロットとを一対として、１つの無線端末に割り当てることになる。この場合、一対のタイムスロットだけでは伝送すべきデータ量を処理できないこともあるが、このような場合には、基地局は、１つの無線端末との通信において、複数対のタイムスロットを割り当てる。このような割り当てを、通常、「タイムスロットアグリゲーション」や「キャリアアグリゲーション」という。
【０００３】
ここで、「タイムスロットアグリゲーション」とは、同一キャリアにおける複数のタイムスロット内に、複数の割り当てを行うことをいい、「キャリアアグリゲーション」とは、複数の異なるキャリアにおける複数のタイムスロット内に、複数の割り当てを行うことをいう。なお、「キャリアアグリゲーション」では、ランダムな割り当てが行われるため、どのキャリアがどの無線端末へ割り当てられるかは分らないが、少なくともタイムスロットが重複しないように割り当てられる。
【特許文献１】特表２００４−５１０３９１号公報
【発明の開示】
【発明が解決しようとする課題】
【０００４】
図６に、従来技術による基地局の構成例を示す。図に示すように、基地局３００は、第１信号処理部３１０、第２信号処理部３２０、制御部（ＣＰＵ）３４０、アダプティブアレイアンテナＡＡＡを具える。制御部３４０は、リソース管理部３４２を具える。制御部２４０は、自局とセッションを持った通信相手の無線端末に送信すべきデータがある場合は、スイッチＳＷ（分離／合成器）およびアダプティブアレイアンテナＡＡＡを介して当該データを送信するように第１、第２信号処理部２１０，２２０を制御する。第１信号処理部３１０は、ＲＦ部３１５を具える。アダプティブアレイアンテナＡＡＡは、複数のアンテナ素子ＡＮＴ１、ＡＮＴ２を有し、各アンテナ素子は、アンテナ素子別の受信信号に基づいて、アンテナ素子別に計算されたアンテナウェイト（重み付け）に応じた電波を発射する。
【０００５】
リソース管理部３４２はアグリゲーション判断部３４４を具え、アグリゲーション判断部３４４は、最初に割り当てられたリソースに加え、最初のリソースと異なるタイムスロットのリソースをさらに追加で割り当てる動作を行っている。アグリゲーション判断部３４４は、キャリアアグリゲーションが必要なユーザーが居た場合に、任意のキャリアでのタイムスロットアグリゲーション動作となるよう制御を行う。各タイムスロットの検波等の信号処理は該当キャリア、該当タイムスロットのタイムスロット１，２，３制御部３１１，３１２，３１３（ＤＳＰ）がそれぞれ計算を行い、最適なウェイトを算出する。図７は、この従来技術の基地局で実行されるアグリゲーション処理のフローチャートである。図に示すように、アグリゲーション要求を受けた基地局３００は、任意キャリアでアグリゲーションを開始し、割り当てた各タイムスロット対で独立にアンテナウェイトを設定している。
【０００６】
ＴＤＤ／ＴＤＭＡシステムのように、タイムスロット番号によってアップリンクとダウンリンクとの割り当て時間間隔が異なるシステムにおいては、アップリンクとダウンリンクの時間間隔（時間差）が短いタイムスロットの方が、電波伝搬路特性を維持しやすく、時間間隔が長いタイムスロットは特性が劣化しやすくなると言う特徴があった。さらに、端末が高速で移動している場合、フェージング変動が大きくなるため、タイムスロットによる特性差が、さら顕著になると言う問題があった。例えば、現在のタイムスロットアグリゲーション技術では、スロット間の時間差によって、特性が劣化し易いタイムスロット対と、特性が劣化し難い優れたタイムスロット対とが、１つの端末に割り振られていたとしても、各タイムスロット対同士は、別個に受信アンテナウェイトを算出し、それを送信アンテナウェイトに別個に適用して動作している。例えば、タイムスロット対別にウェイトを計算するという制約を外せば、よりスロット間の時間差が少なく特性が劣化し難い状態でアンテナウェイトを計算することが可能であるにもかかわらず、悪い状態でアンテナウェイトを設定して送信を行っていた。従って、各端末に、特性が劣化し難い優れたタイムスロット対の組み合わせ（アンテナウェイト計算のための擬似的なスロット対）があったとししても、そのような無線リソース（複数のスロット対）の性能を十分に活用できているとはいえなかった。
【０００７】
そこで、本発明の目的は、個々の端末にタイムスロットアグリゲーション技術で割り振ったタイムスロット対の持つ特性を十分に利用した速度／フェージングにより強い通信技法（通信方法および無線通信装置）を提供することである。
【課題を解決するための手段】
【０００８】
上述した諸課題を解決すべく、第１の発明による通信方法は、
複数のアンテナを具え、時分割多元接続／時分割複信方式で相手側無線通信装置との間で無線通信を行う無線通信装置（基地局）における通信方法において、
上り（受信）タイムスロットと下り（送信）タイムスロットとからなるタイムスロット対を１フレーム内に複数、前記相手側無線通信装置に割り当てるスロット割当ステップと、
前記割り当てられた複数のタイムスロット対に含まれる複数の上りタイムスロットのうちの１つの上りタイムスロットについて前記複数のアンテナで受信した信号に基づいて算出される各アンテナ受信ウェイト（重み係数）を、前記割り当てられた複数のタイムスロット対に含まれる複数の下りタイムスロットで用いる送信ウェイトに設定するウェイト設定ステップと、
を有する。
【０００９】
また、第２の発明による通信方法は、
前記スロット割当ステップが、
１つのキャリア（周波数）に設定された複数のタイムスロット（スロット番号／空間多重番号などが異なる）から、上り（受信）タイムスロットと下り（送信）タイムスロットとからなるタイムスロット対を１フレーム内に複数、前記相手側無線通信装置に割り当てる、ことを特徴とする。
【００１０】
また、第３の発明による通信方法は、
前記複数のタイムスロット対の各々は、異なるキャリア（周波数）に設定された複数のタイムスロットから割り当てられる、
ことを特徴とする。
【００１１】
また、第４の発明による通信方法は、
前記ウェイト設定ステップが、
前記複数のタイムスロット対に含まれる複数の上りタイムスロットのうち、下りタイムスロットに最も近い上りタイムスロットを、前記複数のアンテナで受信した信号に基づいて算出される各アンテナ受信ウェイト（重み係数）を、前記割り当てられた複数のタイムスロット対に含まれる複数の下りタイムスロットで用いる送信ウェイトに設定する、
ことを特徴とする。
【００１２】
また、第５の発明による通信方法は、
前記ウェイト設定ステップが、
前記複数のタイムスロット対に含まれる複数の上りタイムスロットのうち、受信感度が最も良い上りタイムスロットについて前記複数のアンテナで受信した信号に基づいて算出される各アンテナ受信ウェイト（重み係数）を、前記割り当てられた複数のタイムスロット対に含まれる複数の下りタイムスロットで用いる送信ウェイトに設定する、
ことを特徴とする。
【００１３】
また、第６の発明による通信方法は、
前記相手側無線通信装置との間の伝播路変動を示す値を検出する伝播路変動検出ステップと、
前記検出された伝播路変動を示す値に基づいて、前記伝播路が安定しているか否かを判断する判断ステップと、をさらに含み、
前記判断の結果、前記伝播路が安定していないと判断された場合には、前記ウェイト設定ステップを実行する、
ことを特徴とする。
【００１４】
上述したように本発明の解決手段を通信方法として説明してきたが、本発明はこれらに実質的に相当する装置、プログラム、プログラムを記録した記憶媒体としても実現し得るものであり、本発明の範囲にはこれらも包含されるものと理解されたい。
【００１５】
例えば、本発明を装置として実現させた第６の発明による無線通信装置は、
複数のアンテナを具え、時分割多元接続／時分割複信方式で相手側無線通信装置との間で無線通信を行う無線通信装置（基地局）であって、
上り（受信）タイムスロットと下り（送信）タイムスロットとからなるタイムスロット対を１フレーム内に複数、前記相手側無線通信装置に割り当てるスロット割当部と、
前記割り当てられた複数のタイムスロット対に含まれる複数の上りタイムスロットのうちの１つの上りタイムスロットを前記複数のアンテナで受信した信号に基づいて算出される各アンテナ受信ウェイト（重み係数）を、前記割り当てられた複数のタイムスロット対に含まれる複数の下りタイムスロットで用いる送信ウェイトに設定するウェイト設定部と、
を有する。
【発明の効果】
【００１６】
本発明によれば、高速通信を行う高速移動端末に対して、より確からしいアンテナウェイトを用いた送信を行うことによって、下り回線の高速通信性能を向上させることができるという利点がある。また、タイムスロットによる特性差がなくなるということはないが、従来の通信にくらべて、適切なウェイトをすぐに実現することができることにより、端末が高速で移動するしないに関わらず、伝搬路の追従性が向上することによって、スループットの向上が見込まれる。
【発明を実施するための最良の形態】
【００１７】
以降、諸図面を参照しながら、本発明の実施態様を詳細に説明する。図１は、本発明の一実施態様による無線通信装置の基本構成を示すブロック図である。図に示すように、無線通信装置１００は、ＲＦ部１１０、送信部１２０、受信部１３０、装置全体の制御を司る制御部１４０、スロット割当部１５０、ウェイト算出部１６０、ウェイト設定部１７０、移動速度算出部１８０、記憶部１９０、およびアダプティブアレイアンテナＡＡＡを具える。制御部１４０は、自装置とセッションを持った通信相手の無線端末に送信すべきデータがある場合は、スイッチＳＷ（分離／合成器）およびアダプティブアレイアンテナＡＡＡを介して当該データを送信するように送信部１２０を制御する。アダプティブアレイアンテナＡＡＡは、複数のアンテナ素子を有し、各アンテナ素子は、受信部１３０が受信したアンテナ素子別の受信信号に基づいて、アンテナ素子別に計算されたアンテナウェイト（重み付け）に応じた電波を発射する。
【００１８】
スロット割当部１５０は、端末へスロット（チャネル）をタイムスロット対として割り当てる。スロット割当部１５０は、１つの端末が、多くの帯域を必要とする場合には、タイムスロットアグリゲーション技術によって複数のタイムスロット対を当該端末に追加で割り当てる。スロット割当部１５０は、複数のスロット対を同一端末に割り当てるときは、できるだけ同一キャリアに設定されたスロットを使うようにする。同一キャリアであれば、アップリンクのエアの状態とダウンリンクのエアの状態とは同一とみなすことができるからである。他方、キャリアは必ずしも同一でなければならないものでもない。同一キャリアでなくとも、近接したキャリア同士であればアンテナウェイトを利用することも可能である。
【００１９】
ウェイト算出部は、受信部１３０が受信したアンテナ素子別の受信信号に基づいて、アンテナ素子別に計算されたアンテナウェイト（重み付け）を算出する。記憶部１９０は、スロット割当テーブル、タイムスロットの時間差テーブルなどが格納される。
【００２０】
移動速度算出部１８０は、相手の無線通信端末との間の伝播路変動を判断する要素の１つである、当該無線通信端末の移動速度（相対速度）を算出する。制御部１４０は、移動速度算出部１８０で算出された速度が所定の閾値を超えるか否かを判断（即ち、伝播路が安定しているか否かを判断し）し（判断ステップに相当する）、超える端末（即ち、伝播路が安定していない端末）に対してのみ、本発明を適用するように制御する。即ち、所定の閾値を超える端末のアグリゲーション要求には、同じキャリアを持つタイムスロット対だけを優先的に割り当て、ウェイト設置部１７０が、割り当てたアップリンク側タイムスロットのうち、最も信頼性の高い、最もダウンリンク側のスロットにおけるウェイトを全ての下りのタイムスロットで使用させるように制御する。
【００２１】
＜基地局―端末間の相対移動速度の取得＞
基地局と無線端末との間の相対速度（伝播路変動を示す値）を得る方法として、信号の到達タイミングより求める方法を説明する。”High Capacity-Spatial Division Multiple Access (HC-SDMA) WTSC- 2005-032(ATIS/ANSI)”では、無線端末は基地局の送信するダウンリンク信号に同期させる為に、基地局の送信する報知情報チャンネルバーストを定期的にモニタリングして、受信位置を調整する。無線端末は受信位置決定後、基地局との距離に応じたアップリンク送信タイミングを知る為に、コンフィギュレーションチャネルバーストを基地局に送信する。基地局はコンフィギュレーションチャネルバーストの受信位置から、本来のアップリンク受信位置との差分情報を含むコンフィギュレーションバーストを無線端末に返信する。無線端末は基地局から得た差分情報を元に送信タイミングの調整を行う。この時基地局は、同一無線端末の差分情報から当該無線端末の自基地局との距離を得る事ができ、かつこの差分情報を過去複数回に渡って記録する制御を行い、その時間的変化を調べる事により、当該無線端末の基地局からの相対速度を得る事ができる（伝播路変動検出ステップに相当する）。差分情報は無線端末でも共有しているため、相対速度の取得は無線端末側でも容易に実施可能である。
【００２２】
また、ＴＤＭＡ−ＴＤＤ方式を用いた通信システムでは、同一キャリアであればアップリンクのエアの状態とダウンリンクのエアの状態は同一であるとみなすことができる。このため、送信のアンテナウェイトは受信のアンテナウェイトをそのまま使用している（キャリブレーションは行う）。受信信号のレベルや位相は、フェージングによって時間変動している。この時間変動は端末が高速で移動している場合に大きくなる。端末が停止しており、伝播環境がまったく動かなければ、時間による変動なく、ずっと同じレベルや位相となる。しかし、通常は、伝播環境は動いているため、受信信号のレベルや位相は時間変化を行うと考えてよい。このような状況の場合、最適なアンテナウェイトはフェージング状況によって変動する。つまり、最適なアンテナウェイトは時間変動する、ということである。特に高速で移動するユーザー端末との通信では、伝播環境の変動が大きく、受信レベルや位相回転の状態が大きく変動することがある。ＴＤＤ／ＴＤＭＡでは、アップリンクのウェイトをそのままダウンリンクに適用できるとされているが、それはこのような時間変動が無視できるという前提が入っているのである。端末が高速で移動しているような場合には、アップリンク受信時のウェイトがダウンリンク送信時には大きく変わる可能性が高い。このような場合のダウンリンク特性は、タイムスロット１に比べて、タイムスロット３の方が伝播環境の変化が生じる可能性が高く、特性が劣化しやすいと言う特徴がある。これらについて、以下、具体的に説明する。
【００２３】
タイムスロットとしては、ｉＢｕｒｓｔ（登録商標）システムを例にとり説明することとする。図４に、フレーム構成図を示す。タイムスロット１のアップリンクとダウンリンクの先頭の時間間隔は、１，６４５μＳｅｃ、タイムスロット２のアップリンクとダウンリンクの先頭の時間間隔は、２，１９０μＳｅｃ、タイムスロット３のアップリンクとダウンリンクの先頭の時間間隔は、２，７３５μＳｅｃであり、下記の表のようになる。
【００２４】
【表１】
2008219625.tif 000003
【００２５】
ここで、例えば、スロット割当部１５０により、スロット対U1-D1とスロット対U3-D3との２組のスロット対が１つの端末に割り当てられたものと仮定する。この場合は、従来技術では、アップリンクスロットU1の受信信号の受信アンテナウェイトを、ダウンリンクスロットD1の送信アンテナウェイトに設定して使っていた。また。アップリンクスロットU3の受信信号の受信アンテナウェイトを、ダウンリンクスロットD3の送信アンテナウェイトに設定して使っていた（図５（ａ）参照）。他方、本発明の構成では、１つの端末に割り振られたアップリンクスロットのうち、次に送信されるべきダウンリンクスロット側に最も近く配置されたもの（即ち、割り当て済みのダウンリンクスロットと対を構成したときの時間差が少なくなるもの）を選択する。この例では、アップリンクスロットU3が選定され、この受信信号の受信アンテナウェイトを、ウェイト設定部１７０が、アップリンクスロットU1,U3の双方の送信アンテナウェイトに設定する。設定した場合の時間差は、表２のようになる。
【００２６】
【表２】
2008219625.tif 000004
【００２７】
このように、スロット対U1-D1は、アンテナウェイト計算のための「擬似的なスロット対U3-D1」という構成になり、その時間差が５５５μｓとなる（図５（ｂ）参照）。よって、従来の１６４５μｓに比べて、顕著に高い速度耐性、フェージング耐性を持つ、高い通信品質を提供することが可能となる。なお、スロット対U3-D3側では、同じアップリンクスロットのアンテナウェイトを使うので通信品質の向上はない。
【００２８】
次に、アダプティブアレイアンテナを有する無線通信装置の典型例である基地局（装置）に本発明を具体的に適用して説明する。図２は、本発明の一実施態様による基地局の構成例を示す図である。図に示すように、基地局２００は、第１信号処理部２１０、第２信号処理部２２０、制御部（ＣＰＵ）２４０、アダプティブアレイアンテナＡＡＡ、メモリ２５０を具える。第１信号処理部２１０は、ＲＦ部２１５を具える。制御部２４０は、リソース管理部２４２、およびアグリゲーション送信ウェイト制御部２４６を具える。制御部２４０は、自局とセッションを持った通信相手の無線端末に送信すべきデータがある場合は、スイッチＳＷ（分離／合成器）およびアダプティブアレイアンテナＡＡＡを介して当該データを送信するように第１、第２信号処理部２１０，２２０を制御する。アダプティブアレイアンテナＡＡＡは、複数のアンテナ素子ＡＮＴ１、ＡＮＴ２を有し、各アンテナ素子は、アンテナ素子別の受信信号に基づいて、アンテナ素子別に計算されたアンテナウェイト（重み付け）に応じた電波を発射する。
【００２９】
アグリゲーション判断部２４４は、最初に割り当てられたリソースに加え、最初のリソースと異なるタイムスロットのリソースをさらに追加で割り当てる動作を行っている。アグリゲーション判断部２４４は、アグリゲーション要求があった場合に、最初に割り当てられているキャリア内の他タイムスロットの空きリソースを割り当てるように制御する。空きタイムスロットがない場合には、何らかのプライオリティ付けに応じて、空きを作ったり、最初の割り当てキャリアを放棄したりして新たなキャリアで通信を行うように制御しても良い。いずれにしても、キャリアアグリゲーションが必要なユーザーが居た場合に、同一キャリアでのタイムスロットアグリゲーション動作となるよう制御を行う。各タイムスロットの検波等の信号処理は該当キャリア、該当タイムスロットのタイムスロット１，２，３制御部２１１，２１２，２１３（ＤＳＰ）がそれぞれ計算を行い、最適なウェイトを算出する。など、作図、および説明の便宜上、第１信号処理部２１０のみを説明してあるが、第２信号処理部２２０も同様の構成である。
【００３０】
ここで、表１のような３タイムスロットのアグリゲーションを行っているとした場合には、先ほどの各タイムスロットの時間差だけ、ウェイトの鮮度が悪いことになる。
ダウンリンクタイムスロット１の送信ウェイトは、アップリンクタイムスロット１での受信ウェイトと同一である。しかし、理想的には、希望ユーザーと基地局との間のダウンリンク送信時の伝播環境に一番近い伝播環境となっており、タイムスロット３の受信状況を用いて送信ウェイトを決定すれば、ウェイト算出タイミングと送信時刻との間の時間間隔を短くすることになり、従来方式に比べて信頼度の高い送信ウェイトを実現することができることになる。本発明を実現するには、各タイムスロットアグリゲーションを行っているユーザーのタイムスロット３あるいは、ダウンリンクに近いタイムスロットの受信ウェイトを、制御部（ＣＰＵ）２４０を経由して他のタイムスロットのタイムスロット１〜３制御部（ＤＳＰ）２１１〜２１３にダウンリンクのウェイトとして通知すればよい。この送信ウェイトの情報収集および通知を行うのが、アグリゲーション送信ウェイト制御部２４６である。各タイムスロットの信号処理を行うタイムスロット１〜３制御部（ＤＳＰ）２１１〜２１３では、上記アグリゲーション送信ウェイト制御部から伝達されたウェイトを送信ウェイトとして使用する。これによって、伝搬路として一番信頼度の高い時間的に近い情報を元にウェイトを生成することができることによって、タイムスロット１，２のダウンリンクの特性が向上する。本発明の制御によれば、送信ウェイト生成時刻と実際の送信にかかる時間の差は
タイムスロット１  ５５５μｓｅｃ    （元は１６４５μｓｅｃ）
タイムスロット２  １６４５μｓｅｃ    （元は２１９０μｓｅｃ）
タイムスロット３  ２７３５μｓｅｃ    （変わらず）
となる。このように、伝搬路推定などによる余分な計算を行わずに各タイムスロットの情報を有効に利用することによって送信ウェイトの伝播環境に対する鮮度を高めダウンリンクの特性を向上させることが可能となる。
【００３１】
図３は、本発明の一実施態様による基地局で実行される処理のフローチャートである。図に示すように、ステップＳＴ１にて端末からアグリゲーションが要求される。ステップＳＴ２にて、当該端末に割当済みのスロットのキャリアと同一キャリアに空きスロットかあるか否かを判定する。空きスロットがない場合は、ステップＳＴ３に進み、空きキャリアを作成するなどの何らかの対応処理を行い、ステップＳＴ１に戻る。空きキャリアがある場合は、ステップＳＴ４にて、同一キャリアに追加のタイムスロットを割り当てる。ステップＳＴ５にて、割当済みの各タイムスロットの受信ウェイト情報をＣＰＵで受信する。次に、ステップＳＴ６にて、信頼性が最も高いタイムスロット（即ち、割当済みの中で最もダウンリンクスロット側のアップリンクスロット）の送信ウェイトを割り当て済みの全タイムスロットに対応するタイムスロット番号担当ＤＳＰに通知する。ステップＳＴ７にて、通知された送信ウェイトを用いて送信する。
【００３２】
なお、本実施例の説明にあたっては、基地局と無線通信端末との間の伝播路変動を判断する要素（伝播路変動を示す値）の一例として、当該基地局と無線通信端末との間の相対速度を挙げたが、これ以外にも、基地局が無線通信端末から受信した信号のレベル変動や、受信した信号の位相回転量等によって求めることもできる。具体的には、受信信号のレベル変動が所定の度合いを超えた場合、または、受信信号の位相回転量が所定量を超えて回転した場合には、伝播路が安定していないと判断し、当該判断された端末に対して、本発明を適用するように制御してもよい。
【００３３】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各部、各手段、各ステップなどに含まれる機能などは論理的に矛盾しないように再配置可能であり、複数の手段やステップなどを１つに組み合わせたり、或いは分割したりすることが可能である。
【図面の簡単な説明】
【００３４】
【図１】本発明の一実施態様による無線通信装置の基本構成を示すブロック図である。
【図２】本発明の一実施態様による基地局の構成例を示す図である。
【図３】本発明の一実施態様による基地局で実行される処理のフローチャートであ
【図４】フレーム構成図である。
【図５】送信アンテナウェイトの設定を変更した状態をフレーム構成図を用いて示した図である。
【図６】従来技術による基地局の構成例を示す図である。
【図７】従来技術の基地局で実行されるアグリゲーション処理のフローチャートである。
【符号の説明】
【００３５】
１００  無線通信装置
１１０  ＲＦ部
１２０  送信部
１３０  受信部
１４０  制御部
１５０  スロット割当部
１６０  ウェイト算出部
１７０  ウェイト設定部
１８０  移動速度算出部
１９０  記憶部
２００  基地局
２１０，２２０  第１、第２信号処理部
２１１，２１２，２１３  タイムスロット１〜３制御部
２１５  ＲＦ部
２１０，２２０  第１、第２信号処理部
２４０  制御部
２４２  リソース管理部
２４４  アグリゲーション判断部
２４６  アグリゲーション送信ウェイト制御部
２５０  メモリ
３００  基地局
３１０  第１、第２信号処理部
３１１，３１２，３１３  タイムスロット１〜３制御部
３１５  ＲＦ部
３１０，３２０  第１、第２信号処理部
３４０  制御部
３４２  リソース管理部
３４４  アグリゲーション判断部
ＡＡＡ  アダプティブアレイアンテナ
ＡＮＴ１，ＡＮＴ２  アンテナ素子
ＳＷ  スイッチ
【図１】
2008219625.tif 000005
【図２】
2008219625.tif 000006
【図３】
2008219625.tif 000007
【図４】
2008219625.tif 000008
【図５】
2008219625.tif 000009
【図６】
2008219625.tif 000010
【図７】
2008219625.tif 000011